(57)【要約】【課題】カメラの外観を構成する一面に柱状の微細構造体の集合体を設け、微細構造体を設けた面を壁等の対象物に吸着させると、壁に一度吸着したカメラを容易に剥がすことが難しいということがあった。そこで本発明の目的は、一度吸着したものでも容易に剥がすことが可能な吸着装置を提供することである。【解決手段】本発明の吸着装置は、基板と該基板上に配設される微細柱状構造体及び機械的振動を発生する剥離機構と該剥離機構を駆動する駆動手段とから構成するようにした。【選択図】  図５
2015125303.tif 000002
【特許請求の範囲】
【請求項１】
基板と該基板上に配設される微細柱状構造体及び機械的振動を発生する剥離機構と該剥離機構を駆動する駆動手段とからなる吸着装置。
【請求項２】
前記基板と微細柱状構造体との間には電極が設けられ、該電極に電荷を与える吸着補助手段を有することを特徴とする請求項１に記載の吸着装置。
【発明の詳細な説明】
【技術分野】
【０００１】
本発明は、装置の外装面の一面に設ける吸着装置に関する。
【背景技術】
【０００２】
カメラで自分を撮影したい場合、通常三脚を使ってカメラを固定し撮影を行うが、そもそも三脚を持参していない場合は自分を撮影することはできない。三脚を持参していない場合は、周囲にいる人に撮影を依頼することを考えるが、周囲に撮影を頼める人がいなかった場合も撮影を行うことができない。
【０００３】
ところで、柱状の微細構造体を用いて対象物に吸着させる吸着部材が特許文献１に記載されている。同公報に開示された柱状構造体は直径が５０ｎｍ以下の微細構造で、ファンデルワールス力によって対象物に吸着するよう構成されている。
【０００４】
そこで、カメラの外観を構成する一面に柱状の微細構造体の集合体を設けることにより、カメラを壁等の対象物に吸着させて、撮影者自身を撮影することが可能となる。
【先行技術文献】
【特許文献】
【０００５】
【特許文献１】特開２００８−２００７９３号公報
【発明の概要】
【発明が解決しようとする課題】
【０００６】
しかしながら、カメラの外観を構成する一面に柱状の微細構造体の集合体を設け、微細構造体を設けた面を壁等の対象物に吸着させると、壁に一度吸着したカメラを容易に剥がすことが難しいということがあった。
【０００７】
そこで本発明の目的は、一度吸着したものでも容易に剥がすことが可能な吸着装置を提供することである。
【課題を解決するための手段】
【０００８】
上記目的を達成するために本発明は、吸着装置を基板と該基板上に配設される微細柱状構造体及び機械的振動を発生する剥離機構と該剥離機構を駆動する駆動手段とから構成したことを特徴とする。
【発明の効果】
【０００９】
本発明によれば、吸着装置を基板と該基板上に配設される微細柱状構造体及び機械的振動を発生する剥離機構と該剥離機構を駆動する駆動手段とから構成することにより、どのような使用者であっても容易に吸着状態から剥がすことができる吸着装置を提供することができる。
【図面の簡単な説明】
【００１０】
【図１】デジタルカメラの外観図
【図２】デジタルカメラの外観図
【図３】デジタルカメラのブロック図
【図４】デジタルカメラの姿勢説明図
【図５】吸着ユニット説明図
【図６】吸着・剥離動作のフローチャート
【図７】吸着ユニット説明図
【図８】吸着・剥離動作のフローチャート
【発明を実施するための形態】
【００１１】
図１〜図４は本発明を実施するための形態で、吸着装置を有した装置としてデジタルカメラを例示している。図１は吸着装置を有したデジタルカメラの外観図で、吸着ユニットが外観から隠れた状態を示している。図２は吸着装置を有したデジタルカメラの外観図で、吸着ユニットが外観に現れた状態を示している。図３はデジタルカメラのブロック図、図４はデジタルカメラの姿勢説明図である。
【００１２】
１はデジタルカメラの本体、２は背面表示部、３はデジタルカメラ１と背面表示部２とを連結するヒンジである。１０は光学ファインダー、１１は撮影レンズ、１３は静止画の撮影を実行する操作スイッチ、１４は吸着・剥離を実行する吸着スイッチ、１５は姿勢検知センサ、１６は赤外線リモコン用の受光センサ、１７は無線通信用のアンテナである。２０は背面表示部２に設けられた表示素子である。
【００１３】
図１(a)の吸着装置を有したデジタルカメラの側面図、図１(ｂ)の吸着装置を有したデジタルカメラの背面図、及び図３のデジタルカメラのブロック図を用いて通常の撮影動作を説明する。
【００１４】
デジタルカメラ１に設けられた不図示の電源がオンされると、システム制御回路６０はレンズ駆動回路６５を介して撮影レンズ１１を駆動する。撮影レンズ１１を透過した被写体光は撮像素子６１で受光され、光電変換された撮像信号は画像処理回路６２で現像処理される。画像処理回路６２にて現像処理された画像信号は表示処理回路６３にて表示用画像信号に処理されて表示素子２０にライブビュー画像として表示される。
【００１５】
使用者は光学ファインダー１０あるいは表示素子２０を介して被写体を確認し、撮影構図を決定する。使用者が静止画撮影を実行する操作スイッチ１３を押下すると、撮像素子６１は静止画モードで駆動され静止画像信号を出力する。静止画像信号は画像処理回路６２で現像処理され、記録媒体であるメモリ７３に記録される。
【００１６】
次に、図２(a)の吸着装置を有したデジタルカメラの側面図、図２（ｂ）の吸着装置を有したデジタルカメラの背面図、及び図３のデジタルカメラのブロック図を用いて、デジタルカメラ１を壁等の対象物に吸着させるためのカメラの構成を説明する。
【００１７】
図２のデジタルカメラの外観図において、デジタルカメラ１を対象物に吸着させるために、使用者は背面表示部２をヒンジ３を軸にして展開する。背面表示部２の裏面と接していたデジタルカメラ１本体の背面には、４つの領域に分割された吸着ユニット３０、３１、３２、３３が配設されている。吸着ユニットの詳細は後述する。
【００１８】
図２(a)の側面図で示すように、背面表示部２を展開した際は、背面表示部２の背面（表示素子２０が配設されていない面）とデジタルカメラ１本体の背面とは略同一面になっており、少なくとも吸着ユニットが設けられていない背面表示部２の背面はデジタルカメラ１本体の背面に対して出っ張らないように構成されている。このとき、ヒンジ３もデジタルカメラ１本体の背面に対して出っ張らないように構成されている。
【００１９】
使用者が吸着ユニットが配設されたデジタルカメラ１の背面を壁等の対象物に密着させることにより、デジタルカメラ１を吸着させることが可能となっている。吸着させるための動作は後述する。
【００２０】
またデジタルカメラ１の背面には、壁等の対象物との密着度合いを検出するための、４つの近接センサ４０、４１、４２、４３が配設されている。近接センサは、例えば対象物との間の静電容量の変化を検知する公知の静電容量型近接センサで、吸着ユニット３０、３１、３２、３３近傍に配設されている。静電容量型近接センサの一構成が、本出願人により特開２０１０−１６００７３号公報に開示されている。
【００２１】
図４はデジタルカメラを壁等の対象物に吸着させた状態での姿勢説明図で、デジタルカメラ１の正面（撮影レンズ１１が配設されている面）側からみた図を示している。図４(a)はデジタルカメラ１を正位置においた場合の姿勢説明図である。図４(ｂ)はデジタルカメラ１を縦位置にして背面表示部２がデジタルカメラ１本体に対して上方になるようにおいた場合の姿勢説明図である。図４(ｃ)はデジタルカメラ１を縦位置にして背面表示部２がデジタルカメラ１本体に対して下方になるようにおいた場合の姿勢説明図である。
【００２２】
図４の姿勢説明図に示すように、デジタルカメラ１が壁等の対象物に吸着された状態で使用する場合、使用者は不図示の赤外線リモコンを用いてデジタルカメラ１を制御できるようになっている。赤外線リモコンからの赤外光は受光センサ１６で受光されリモコン回路７０で処理されて、デジタルカメラ１の撮影動作が制御される。また、背面表示部２の表示素子２０が配設されている面が撮影レンズ１１側にくるように構成されているため、使用者は表示素子２０に表示されるライブビュー画像を確認しながら撮影画角等を設定することが可能となっている。このとき表示処理回路６３では、姿勢センサ１５で検知されたデジタルカメラ１の姿勢に応じて表示素子２０に表示する画像の表示方向を変更している。
【００２３】
またデジタルカメラ１には、撮影された画像情報を不図示の外部表示装置、外部記憶装置、ネットワーク端末等に送信するための無線通信回路７１とアンテナ１７を具備している。そのため、使用者はデジタルカメラ１を任意の位置に取り付けて、離れた場所で撮影画像を観察することが可能となっている。
【００２４】
以下、吸着ユニット３０の構成と吸着動作制御方法を説明する。
【００２５】
［実施例１］
図５は図２（ｂ）のデジタルカメラ背面図の吸着ユニット３０のＡ−Ａ′面の断面図、図６は吸着・剥離動作のフローチャートである。
【００２６】
吸着ユニット３０は、金属あるいはガラス等の剛体からなる基板３５上に電極３７を介して吸着構造体３６が配設された構成になっている。吸着構造体３６は、ポリイミド系樹脂で構成された直径が１μｍ以下の柱状の微細構造の集合体からなっている。柱状の微細構造体の製造方法は、特開２００８−２００７９３号公報に開示されている。
【００２７】
このような柱状の微細構造体は、微細構造体と壁等の対象物との距離ｄが短くなれば、極性のない物質が引き合う分散力で吸着することが可能な構造になっている。ここでいう分散力Ｆdは
Ｆd＝ｋ・αa・αb／ｄ6                                              （１）
と表され、吸着構造体３６の分極率αaと対象物である壁の分極率αbに比例し、距離ｄの６乗に反比例する。
【００２８】
本発明の吸着装置は、吸着ユニット３０を構成する吸着構造体３６、電極３７及び吸着補助手段である吸着動作回路６６か構成されている。本発明の吸着ユニット３０には、電極３７を介して絶縁体である吸着構造体３６に電荷を与えることができるようになっている。極性のない吸着構造体３６に吸着補助手段である吸着動作回路６６を介して電荷を与えることにより、吸着構造体３６は分極し双極子が生じる。吸着構造体３６に双極子が生じると、壁等の対象物に対して双極子を誘起しやすくなり誘起力で吸着することが可能となる。誘起力Ｆiは、
Ｆi＝ｋ・μa2・αb／ｄ6                                      （２）
と表され、吸着構造体３６の双極子モーメントμaの２乗と対象物である壁の分極率αbに比例し、距離ｄの６乗に反比例する。
【００２９】
ここで、誘起力Ｆiは分散力Ｆdより大きいため、吸着効果を高めるためには吸着構造体３６に電荷を与えて誘起力Ｆiを用いて吸着させるのが有効である。
【００３０】
また、基板３５の端面には、基板３５全体に振動を与える振動発生体であるところの圧電体５０が設けられている。圧電体５０は振動発生回路６７とともに、吸着した装置を対象物から剥離するための剥離機構を構成している。
【００３１】
次に、図６の吸着・剥離動作のフローチャートを用いて、本発明の装置であるデジタルカメラの吸着・剥離動作の制御方法を説明する。
【００３２】
デジタルカメラ１の不図示の電源がオンされると（ｓ１００）、制御手段であるシステム制御回路６０は吸着スイッチ１４の状態を確認する（ｓ１０１）。吸着スイッチ１４がオン状態でなければ待機する。一方使用者が、デジタルカメラ１の背面表示部２を展開し、デジタルカメラ１の吸着ユニット３０、３１、３２、３３が配設されている面を壁に押しつけながら吸着スイッチをオンしたならば（ｓ１０１）、システム制御回路６０は姿勢検知回路６９を介して姿勢検知センサ１５にてデジタルカメラ１の姿勢を検知する（ｓ１０２）。
【００３３】
次にシステム制御回路６０は、吸着状態検出回路６８を介して近接センサ４０、４１、４２、４３にてデジタルカメラ１の吸着状態を測定する。さらにシステム制御回路６０は、吸着状態検出回路６８及び近接センサ４０、４１、４２、４３にて測定された吸着状態を表示処理回路６３を介して表示素子２０のインジケータ２１に表示する。インジケータ２１は複数本のバー表示となっており、表示されているバーの本数により吸着状態を表すようになっている。
【００３４】
そして、システム制御回路６０は誘起力による吸着を実行するために、吸着動作回路６６及び電極３７を介して吸着構造体３６に所定時間電荷を与える（ｓ１０５〜ｓ１０６）。
【００３５】
次にシステム制御回路６０は、吸着状態検出回路６８を介して近接センサ４０、４１、４２、４３にてデジタルカメラ１の吸着状態を測定する（ｓ１０７）。さらにシステム制御回路６０は、吸着状態検出回路６８及び近接センサ４０、４１、４２、４３にて測定された吸着状態を表示処理回路６３を介して表示素子２０のインジケータ２１に表示する（ｓ１０８）。
【００３６】
このとき、デジタルカメラ１が壁に十分吸着されていなければ（ｓ１０９）、システム制御回路６０は再度誘起力による吸着を実行するために、吸着動作回路６６及び電極３７を介して吸着構造体３６に所定時間電荷を与える（ｓ１０５〜ｓ１０６）。ここで、近接センサ４０、４１、４２、４３で測定された吸着状態に応じて、電荷を与える吸着ユニットを選択するのが有効である。
【００３７】
一方、誘起力による吸着を実行することにより吸着構造体３６と壁との距離ｄが短くなり、今度は分散力により十分吸着した状態になっていれば（ｓ１０９）、システム制御回路６０は再度吸着スイッチ１４の状態を確認する（ｓ１１０）。
【００３８】
吸着スイッチ１４がオン状態のままであれば（ｓ１１０）、システム制御回路６０は吸着状態検出回路６８及び近接センサ４０、４１、４２、４３にてデジタルカメラ１の吸着状態を測定し（ｓ１０７）、その吸着状態を表示処理回路６３を介して表示素子２０のインジケータ２１に表示する（ｓ１０８）。
【００３９】
一方、吸着スイッチ１４がオフされると（ｓ１１０）、システム制御回路６０は振動発生回路６７と圧電体５０からなる剥離機構を所定時間動作させる（ｓ１１１〜ｓ１１２）。圧電体５０は基板３５全体に定在波が生じるように励振されるため、吸着構造体３６と壁との距離ｄが部分的に長くなり吸着構造体３６全体の吸着力が低下する。
【００４０】
このとき、システム制御回路６０は小さな出力で徐々に剥離を行わせるために、デジタルカメラ１の姿勢に応じて剥離機構を動作させる吸着ユニットを選択する。たとえば、図４(a)に示すようにデジタルカメラ１が正位置の場合は、重力によるモーメントがかかる吸着ユニット３０が選択される。また図４(ｂ)に示すようにデジタルカメラ１が縦位置で背面表示部２がデジタルカメラ１本体に対して上方になるようにおかれた場合は、重力によるモーメントがかかる吸着ユニット３１が選択される。また図４(ｃ)に示すようにデジタルカメラ１が縦位置で背面表示部２がデジタルカメラ１本体に対して下方になるようにおかれた場合は、重力によるモーメントがかかる吸着ユニット３２が選択される。
【００４１】
所定の吸着ユニットの剥離機構を所定時間動作させると（ｓ１１１〜ｓ１１２）、システム制御回路６０は表示処理回路６３を介して表示素子２０の吸着状態を表示するインジケータ２１の表示を消す（ｓ１１３）。
【００４２】
引き続き、システム制御回路６０は次の操作があるまで待機する（ｓ１１４）。
【００４３】
［実施例２］
図７は図２（ｂ）のデジタルカメラ背面図の吸着ユニット３０のＡ−Ａ′面の断面図、図８は吸着・剥離動作のフローチャートである。
【００４４】
吸着ユニット３０は、金属あるいはガラス等の剛体からなる基板３５上に電極３７を介して吸着構造体３６が配設された構成になっている。吸着構造体３６は、第１の実施例と同様でポリイミド系樹脂で構成された直径が１μｍ以下の柱状の微細構造の集合体からなっている。
【００４５】
このような柱状の微細構造体は、微細構造体と壁等の対象物との距離ｄが短くなれば、極性のない物質が引き合う分散力（１式）で吸着することが可能な構造になっている。
【００４６】
本発明の吸着装置は、吸着ユニット３０を構成する吸着構造体３６、電極３７及び吸着補助手段である吸着動作回路６６か構成されている。本発明の吸着ユニット３０には、電極３７を介して絶縁体である吸着構造体３６に電荷を与えることができるようになっている。極性のない吸着構造体３６に吸着補助手段である吸着動作回路６６を介して電荷を与えることにより、吸着構造体３６は分極し双極子が生じる。吸着構造体３６に双極子が生じると、壁等の対象物に対して双極子を誘起しやすくなり誘起力（２式）で吸着することが可能となる。
【００４７】
ここで、誘起力Ｆiは分散力Ｆdより大きいため、吸着効果を高めるためには吸着構造体３６に電荷を与えて誘起力Ｆiを用いて吸着させるのが有効である。
【００４８】
また、基板３５の端面には、基板３５の表面に表面弾性波を発生させるための振動発生体であるところの櫛歯電極５２が設けられている。櫛歯電極５２は振動発生回路６７とともに、吸着した装置を対象物から剥離するための剥離機構を構成している。
【００４９】
次に、図８の吸着・剥離動作のフローチャートを用いて、本発明の装置であるデジタルカメラの吸着・剥離動作の制御方法を説明する。
【００５０】
デジタルカメラ１の不図示の電源がオンされると（ｓ１２０）、制御手段であるシステム制御回路６０は吸着スイッチ１４の状態を確認する（ｓ１２１）。吸着スイッチ１４がオン状態でなければ待機する。一方使用者が、デジタルカメラ１の背面表示部２を展開し、デジタルカメラ１の吸着ユニット３０、３１、３２、３３が配設されている面を壁に押しつけながら吸着スイッチをオンしたならば（ｓ１２１）、システム制御回路６０は姿勢検知回路６９を介して姿勢検知センサ１５にてデジタルカメラ１の姿勢を検知する（ｓ１２２）。
【００５１】
そして、システム制御回路６０は誘起力による吸着を実行するために、吸着動作回路６６及び電極３７を介して吸着構造体３６に所定時間電荷を与える（ｓ１２３〜ｓ１２４）。
【００５２】
次にシステム制御回路６０は、吸着構造体３６に電荷を与えた後の時間経過を計る計時回路７２をリセットする（ｓ１２５）。さらに、システム制御回路６０は、計時回路７２にて計時されている吸着構造体３６に電荷を与えた後の経過時間を確認する（ｓ１２６）。
【００５３】
このとき、吸着構造体３６に電荷を与えた後の経過時間が所定時間を経過していたら（ｓ１２６）、システム制御回路６０は再度誘起力による吸着を実行するために、吸着動作回路６６及び電極３７を介して吸着構造体３６に所定時間電荷を与える（ｓ１２３〜ｓ１２４）。これは、時間の経過に伴い吸着対象物の壁等の分極の状態が変化し吸着力が低下するため、吸着力を回復させるためである。ここで、吸着構造体３６に電荷を与える時間間隔は、吸着対象物の材質、吸着環境の温度や湿度等を考慮して設定することが望ましい。
【００５４】
一方、吸着構造体３６に電荷を与えた後の経過時間が所定時間を経過していなければ（ｓ１２６）、システム制御回路６０は再度吸着スイッチ１４の状態を確認する（ｓ１２７）。
【００５５】
吸着スイッチ１４がオン状態のままであれば（ｓ１２７）、システム制御回路６０は計時回路７２にて計時されている吸着構造体３６に電荷を与えた後の経過時間を確認する（ｓ１２６）。
【００５６】
一方、吸着スイッチ１４がオフされると（ｓ１１０）、システム制御回路６０は振動発生回路６７と振動発生体である櫛歯電極５２からなる剥離機構を所定時間動作させる（ｓ１２８〜ｓ１２９）。櫛歯電極５２は基板３５の表面に表面弾性波が生じるように電圧を印加されるため、吸着構造体３６と壁との距離ｄが部分的に長くなり吸着構造体３６全体の吸着力が低下し、剥離しやすくない。
【００５７】
引き続き、システム制御回路６０は次の操作があるまで待機する（ｓ１３０）。
【００５８】
本実施例では、吸着ユニットをカメラ１本体側に設けた例を示したが、背面表示部２の背面（表示素子２０が配設されていない面）に設ける構成でも構わないが、重さの重い方に吸着ユニットを設けるほうがより望ましい。
【００５９】
本実施例では吸着装置付き装置がデジタルカメラである例を示したが、任意の壁に着脱可能な監視カメラに対しても有効である。
【００６０】
さらに、パネル型ディスプレイの背面に本発明の吸着装置を配設し、任意の壁に着脱可能なディスプレイ装置としても有効である。
【００６１】
また本実施例の吸着構造体は、タイカ社製アルファーゲル(R)、ゴム硬度の低い粘着性のあるゴムでも同様の効果が得られる。さらに、吸着構造体のベースがカーボンナノチューブ等の金属で周囲が誘電体で絶縁された構成のものでも構わない。
【符号の説明】
【００６２】
１     カメラ
２     表示素子
３     ヒンジ
１４   吸着スイッチ
１５   姿勢検知センサ
３０   吸着・剥離構造体
４０   吸着状態検出装置
【図１】
2015125303.tif 000003
【図２】
2015125303.tif 000004
【図３】
2015125303.tif 000005
【図４】
2015125303.tif 000006
【図５】
2015125303.tif 000007
【図６】
2015125303.tif 000008
【図７】
2015125303.tif 000009
【図８】
2015125303.tif 000010